(57)【要約】      （修正有）【課題】籾殻を効率良く攪拌しながら均一に燃焼させて均一に炭化した籾殻炭を効率良く得ることのできる籾殻炭化装置を提供する。【解決手段】籾殻炭化装置１の籾殻炭化用燃焼室６は、燃焼室ケース８、外側燃焼筒１０、内側燃焼筒１１の三重構造であり、内側燃焼筒１１は金網製の円筒から形成され空気の流通性が高く、内周面には所定の間隔で多数の突起が形成されている。内側燃焼筒１１を回転させ、投入された籾殻を効率良く均一に攪拌して均一に燃焼させて均一に炭化した籾殻炭を得ることができる。外側燃焼筒１０、内側燃焼筒１１はその排出口１３が下側となるように傾斜しているので、内部に籾殻が残ること無く、得られた籾殻炭が排出口１３の側に送り出されて排出される。燃焼筒内に得られた籾殻炭を手作業によって掻き出す作業が不要となるので作業効率が良い。【選択図】図１
0003131588.tif 000002
【実用新案登録請求の範囲】
【請求項１】
籾殻を燃焼して炭化させるための籾殻炭化用燃焼室を備えた籾殻炭化装置において、
前記籾殻炭化用燃焼室は、燃焼室ケースと、この燃焼室ケース内に配置された円筒状の外側燃焼筒と、この内側に同心状に固定した円筒状の内側燃焼筒と、外側燃焼円筒をその中心軸線回りに回転させるための回転駆動機構とを備えており、
外側燃焼筒および内側燃焼筒は、一方が籾殻投入口とされ、他方が籾殻炭の排出口とされ、籾殻投入口よりも排出口が下側に位置するように、傾斜配置されており、
内側燃焼筒は、ステンレススチールなどの金属金網から形成した多孔質の円筒であり、その内周面には円周方向および軸線方向に所定の間隔で内方に突出した突起が形成されていることを特徴とする籾殻炭化装置。
【請求項２】
上方から処理対象の籾殻が投入されるホッパと、
このホッパの下端供給口から落下する籾殻を受け取り、ほぼ水平方向に送り出すスクリューコンベアとを有し、
このスクリューコンベアによって送り出される籾殻が前記籾殻炭化用燃焼室の前記籾殻投入口に投入されることを特徴とする請求項１に記載の籾殻炭化装置。
【考案の詳細な説明】
【技術分野】
【０００１】
本考案は、籾殻を効率良く攪拌しながら燃焼させて炭化させることができ、また、燃焼筒内で形成された籾殻炭を効率良く燃焼筒から排出することのできるように改良を図った籾殻炭化装置に関するものである。
【背景技術】
【０００２】
従来から籾殻を焼いて炭化させることにより得られる籾殻炭は、土質改良材、肥料、家畜の糞尿の消臭材などの各種の用途に用いられている。籾殻炭を製造するための籾殻炭化装置としては特許文献１に開示のものが知られている。ここに開示されている籾方炭化装置は、水平あるいは傾斜配置した籾殻炭化容体を回転させながら、その一方の側から籾殻を投入し、内部で籾殻を燃やすことにより籾殻を炭化させ、他方の側から得られた籾殻炭を排出するように構成されている。回転する籾殻炭化容体の内周面にはその軸線方向に延びる攪拌用の突条部材が取り付けられている。
【特許文献１】特開２００３−２０１４８２号公報
【考案の開示】
【考案が解決しようとする課題】
【０００３】
しかしながら、上記特許文献に開示の籾殻炭化装置においては、籾殻攪拌用の突条部材が取り付けられているものの、籾殻炭化容体内において均一に籾殻を燃やして均一に炭化した籾殻炭を得ることができないという課題がある。
【０００４】
本考案の課題は、この点に鑑みて、籾殻を効率良く攪拌しながら均一に燃焼させて均一に炭化した籾殻炭を効率良く得ることのできる籾殻炭化装置を実現することにある。
【課題を解決するための手段】
【０００５】
上記の課題を解決するために、本考案の籾殻炭化装置は、
上方から処理対象の籾殻が投入されるホッパと、
このホッパの下端供給口から落下する籾殻を受け取り、ほぼ水平方向に送り出すスクリューコンベアと、
このスクリューコンベアから籾殻が投入される籾殻投入口を備えた籾殻炭化用燃焼室とを備え、
この籾殻炭化用燃焼室は、燃焼室ケースと、この燃焼室ケース内に配置された円筒状の外側燃焼筒と、この内側に同心状に固定した円筒状の内側燃焼筒と、外側燃焼円筒をその中心軸線回りに回転させるための回転駆動機構とを備えており、
外側燃焼筒および内側燃焼筒は、一方が前記籾殻投入口とされ、他方が籾殻炭の排出口とされ、籾殻投入口よりも排出口が下側に位置するように、傾斜配置されており、
内側燃焼筒は、ステンレススチールなどの金属金網から形成した多孔質の円筒であり、その内周面には円周方向および軸線方向に所定の間隔で内方に突出した突起が形成されていることを特徴としている。
【考案の効果】
【０００６】
本考案の籾殻炭化装置では、籾殻炭化用燃焼室が、燃焼室ケース、外側燃焼筒および内側燃焼筒の三重構造となっており、内部の燃焼温度を精度良く管理でき、熱が外部に逃げることがなく、粉塵が発生することもない。よって、工場内などの室内に設置して使用するのに適している。
【０００７】
また、内部に投入された籾殻を燃やすための内側燃焼筒は金網製の円筒から形成されており、空気の流通性が高い。さらに、その内周面には所定の間隔で多数の突起が形成されている。したがって、この内側燃焼筒を回転させることにより、投入された籾殻を効率良く均一に攪拌できる。したがって、本考案によれば、投入された籾殻を均一に攪拌して均一に燃焼させることができるので、均一に炭化した籾殻炭を得ることができる。
【０００８】
さらに、外側燃焼筒および内側燃焼筒はその排出口が下側となるように傾斜しているので、これらの回転に伴って排出口の側に送り出される。したがって、燃焼筒が水平に配置されている場合とは異なり、内部に籾殻が残ってしまうこと無く、得られた籾殻炭が排出口の側に送り出されて、当該排出口から排出される。よって、燃焼筒内に得られた籾殻炭を手作業によって掻き出す作業が不要となるので作業効率が良い。
【考案を実施するための最良の形態】
【０００９】
以下に、図面を参照して、本考案を適用した籾殻炭化装置の実施の形態を説明する。
【００１０】
図１は本実施の形態に係る籾殻炭化装置を側方から見た場合の概略構成図であり、図２は籾殻炭化用燃焼室の概略横断面図である。これらの図を参照して説明すると、籾殻炭化装置１は、上方から処理対象の籾殻が投入されるホッパ２を備えている。このホッパ２の下端部分は下方に向けて円錐状に窄まっており、その下端に下端供給口３が形成されている。
【００１１】
この下端供給口３には、水平にスクリューコンベア４が配置されている。スクリューコンベア４はホッパ２下端供給口３から落下する籾殻を受け取り、水平方向に送り出す。スクリューコンベア４の送り出し方向の端部５は籾殻炭化用燃焼室６の穀物投入口７まで延びている。
【００１２】
籾殻炭化用燃焼室６は、燃焼室ケース８と、この燃焼室ケース８の上半部分に形成されている半円形断面の筒状部９内に、一定の隙間を空けて同心状に配置されている円筒状の外側燃焼筒１０と、この内側に同心状に固定した円筒状の内側燃焼筒１１とを備えている。これら筒状部９、外側燃焼筒１０および内側燃焼筒１１は、スクリューコンベア４の側の端から他方の端に向けて下方に傾斜する状態に傾斜配置されている。したがって、スクリューコンベア４から籾殻が投入される籾殻投入口７に比べて、反対側の籾殻炭排出口１３が下側に位置している。
【００１３】
外側燃焼筒１０の外周両端部分にはリング１４、１５が取り付けられており、これらのリング１４、１５は、燃焼室ケース８の底面部分に取り付けた左右一対の前側支持ローラ１６、１７および後側支持ローラ１８、１９(図においてはローラ１８のみを示す。）によって転動自在の状態で支持されている。一方の側の前側支持ローラ１６および後側支持ローラ１８は、共通の回転駆動軸２０に取り付けられている。この回転駆動軸２０は、ユニバーサルジョイントを介して、スクリューコンベア４の駆動モータ（図示せず）の側に連結されている。これらリング１４、１５、前側支持ローラ１６、１７、後側支持ローラ１８、１９および回転駆動軸２０によって、外側燃焼筒１０および内側燃焼筒１１を、それらの中心軸線回りに回転させるための回転駆動機構が構成されている。
【００１４】
ここで、図３は内側燃焼筒１１の横断面図である。内側燃焼筒１１は、ステンレススチールなどの耐熱性の金属素材からなる金網によって形成されている。また、その内周面には、金網を形成している金属線材を円周方向および中心軸線方向に沿って一定の間隔で内方に突出させることにより形成した突起２１が形成されている。
【００１５】
なお、本例では、ホッパ２の側方に籾殻供給用のダクト２２を配置し、籾殻をホッパ２に自動供給している。ダクト２２を省略して、手作業により籾殻をホッパ２に投入してもよいことは勿論である。
【００１６】
この構成の籾殻炭化装置１においては、ホッパ２に投入した籾殻をスクリューコンベア４によって籾殻炭化用燃焼室６に送り出して、その籾殻投入口７から内部に投入する。内側燃焼筒１１内に入れた種火によって投入された籾殻が燃える。また、内側燃焼筒１１が同心状に内部に取り付けられている外側燃焼筒１０は、上記構成の回転駆動機構によって中心軸線回りに回転駆動される。内側燃焼筒１１も外側燃焼筒１０と一緒に回転する。この結果、籾殻は内側燃焼筒１１内において、回転する内側燃焼筒１１によって攪拌されながら燃焼し、徐々に、その籾殻炭排出口１３に向けて送り出される。また、内側燃焼筒１１から外側燃焼筒１０に落下した籾殻あるいは籾殻炭も外側燃焼筒１０の内周面に沿って排出口１３の側に送り出される。
【００１７】
均一に燃焼して均一に炭化した状態の籾殻炭が籾殻排出口１３から送り出されて下方に落下する。籾殻排出口１３の真下には、不図示の回収袋などが配置されており、ここに籾殻炭が落下して回収されることになる。
【図面の簡単な説明】
【００１８】
【図１】本考案を適用した籾殻炭化装置の概略構成図である。
【図２】図１の籾殻炭化装置の籾殻炭化用燃焼室の概略横断面図である。
【図３】図１の籾殻炭化装置の内側燃焼筒の概略横断面図である。
【符号の説明】
【００１９】
１    籾殻炭化装置
２    ホッパ
３    下端供給口
４    スクリューコンベア
５    端部
６    籾殻炭化用燃焼室
７    籾殻投入口
８    燃焼室ケース
９    筒状部
１０  外側燃焼筒
１１  内側燃焼筒
１３  籾殻炭排出口
１４、１５  リング
１６、１７、１８、１９  支持ローラ
２０  回転駆動軸
２１  突起
２２  ダクト
【図１】
0003131588.tif 000003
【図２】
0003131588.tif 000004
【図３】
0003131588.tif 000005
【手続補正書】
【提出日】平成19年3月19日(2007.3.19)
【手続補正１】
【補正対象書類名】図面
【補正対象項目名】全図
【補正方法】変更
【補正の内容】
【図１】
0003131588.tif 000006
【図２】
0003131588.tif 000007
【図３】
0003131588.tif 000008